(57)【特許請求の範囲】
【請求項１】
輝度色差系で表わされた色信号に対して補正処理を行う色補正方法において、
前記輝度色差系で表わされた色信号をマトリックス変換により、表示機器の信号系である表示信号系の色信号に変換する変換工程と、
前記変換工程により変換された前記表示信号系の色信号に対して色域超過量を減算する色域圧縮工程と、
前記色域圧縮工程により減算された前記表示信号系の色信号に対して、前記表示信号系で示されたテーブルを参照して補間演算により色変換を行う補間演算工程と、  
前記補間演算工程による前記色変換後の前記色信号に対して前記色域超過量を加算する色域超過量補償工程と、
を備えることを特徴とする色補正方法。
【請求項２】
前記テーブルには色に対する調整量が記憶されることを特徴とする請求項１記載の色補正方法。
【請求項３】
前記変換工程では、前記マトリックス変換により、前記輝度色差系の色信号に対してダイナミックレンジの変換を行うことを特徴とする請求項１記載の色補正方法。
【請求項４】
前記テーブルには補正前後の差分値が記憶され、
更に、前記補間演算工程により補間された前記差分値と前記補間演算前の前記表示信号系の色信号とを加算する加算工程を備えることを特徴とする請求項１記載の色補正方法。
【請求項５】
更に、前記輝度色差系で表わされた色信号に対して、階調補正により前記色信号の輝度又は色差の階調値を補正する階調補正工程を備え、
前記変換工程は、前記階調補正工程により補正された前記色信号に対して前記マトリックス変換を行うことを特徴とする請求項１記載の色補正方法。
【請求項６】
輝度色差系で表わされた色信号に対して補正処理を行う色補正装置において、
前記輝度色差系で表わされた色信号をマトリックス変換により、表示機器の信号系である表示信号系の色信号に変換する変換部と、
前記変換部により変換された前記表示信号系の色信号に対して色域超過量を減算する色域圧縮部と、
前記色域圧縮部により減算された前記表示信号系の色信号に対して、前記表示信号系で示されたテーブルを参照して補間演算により色変換を行う補間演算部と、
前記補間演算部による前記色変換後の前記色信号に対して前記色域超過量を加算する色域超過量補償部と、
を備えることを特徴とする色補正装置。
【請求項７】
輝度色差系で表わされた色信号に対して補正処理を行う色補正プログラムにおいて、
前記輝度色差系で表わされた色信号をマトリックス変換により、表示機器の信号系である表示信号系の色信号に変換する変換処理と、
前記変換工程により変換された前記表示信号系の色信号に対して色域超過量を減算する色域圧縮処理と、
前記色域圧縮処理により減算された前記表示信号系の色信号に対して、前記表示信号系で示されたテーブルを参照して補間演算により色変換を行う補間演算処理と、
前記補間演算処理による前記色変換後の前記色信号に対して前記色域超過量を加算する色域超過量補償処理と、
をコンピュータに実行させることを特徴とする色補正プログラム。
【発明の詳細な説明】
【技術分野】
【０００１】
本発明は、ＬＵＴを参照することで画像信号に対して色補正を行う色補正方法、色補正装置、及び色補正プログラムに関する。詳しくは、ＬＵＴが記憶されたメモリの容量増大を回避しつつ、ＬＵＴの色間隔を細かくするようにした色補正方法等に関する。
【背景技術】
【０００２】
従来から、ＴＶ映像信号やデジタルカメラの画像信号等に対して、色補正を行うことで、例えば画像の色をきれいに表示させる技術がある。
【０００３】
この種の従来技術としては、例えば、行列演算を用いて色補正を行うもの（例えば、以下の特許文献１）や、ＲＧＢ信号の最大値、中央値、最小値から、明度、彩度、色相を調整するようにしたもの（例えば、以下の特許文献２）が開示されている。
【０００４】
また、３次元の色テーブルを利用して色補正を行うものもある。３次元の色テーブルによる色補正は色再現性が高いことが指摘され（例えば、以下の特許文献１の従来技術参照）、表示された画像の画質が良く、また種々の色を独立に調整できる利点がある。
【０００５】
一般に、３次元の色テーブルには、輝度色差系の画像信号（ＹＵＶ、ＹＣＣ、ＹＣｂＣｒ、Ｌ＊ａ＊ｂなど）の各成分の調整値が記憶されるが、メモリ容量を考慮して、離散的に値が記憶される。そして、離散的な値から補間演算を行うことで、補正された画像信号を生成する。補間演算としては、以下に示す特許文献３が知られている。
【０００６】
しかし、補間には誤差が伴うため、画質を維持するにはある程度の細かい間隔で色テーブルを構成する必要がある。一方でメモリ容量の増大を防ぐことも要求される。
【０００７】
そこで、従来では、Ｌ＊ａ＊ｂ空間を明度Ｌ＊軸周りに４５°回転させた色空間を使用し、更に、その座標の間隔を非等間隔（非線形変換）にして、メモリ容量の増大を防ぐとともに色間隔を細かくした技術も開示されている（例えば、以下の特許文献４）。
【特許文献１】特許第３６１１４９０号公報、特に図５や式（１）
【特許文献２】特開２００３−１６３８１４号公報、特に図６
【特許文献３】特許第３６６４３６４号公報
【特許文献４】特開２００３−２１９１９４号公報
【発明の開示】
【発明が解決しようとする課題】
【０００８】
しかしながら、特許文献４では、回転させた色空間を用いても、実際には利用されない空間上の値があるため、メモリの利用効率は必ずしも高いものとは言えない。従って、特許文献４では、必ずしもメモリ容量の増大を防ぐことはできなかった。
【０００９】
そこで、本発明は、上記問題点に鑑みてなされたもので、その目的は、メモリ容量の増大を防ぐとともに、細かな間隔の色テーブルにより色補正処理を実現できる色補正方法、色補正装置、及び色補正プログラムを提供することにある。
【課題を解決するための手段】
【００１０】
上記目的を達成するために、本発明は、輝度色差系で表わされた色信号に対して補正処理を行う色補正方法において、前記輝度色差系で表わされた色信号をマトリックス変換により、表示機器の信号系である表示信号系の色信号に変換する変換工程と、前記表示信号系の色信号に対して、前記表示信号系で示されたテーブルを参照して補間演算により色変換を行う補間演算工程とを備えることを特徴とする。
【００１１】
また、本発明は、前記色補正方法において、前記テーブルには色に対する調整量が記憶されることを特徴とする。
【００１２】
更に、本発明は、前記色補正方法において、前記変換工程による前記マトリックス変換後の前記色信号に対して色域超過量を圧縮する色域圧縮工程と、前記補間演算工程による前記色変換後の前記色信号に対して前記色域超過量の補償を行う色域超過量補償工程とを更に備え、前記補間演算工程は、前記色域圧縮工程により圧縮された前記色信号に対して前記補間演算を行うことを特徴とする。
【００１３】
更に、本発明は、前記色補正方法において、前記色域圧縮工程は前記色域超過量を前記マトリックス変換後の色信号から減算することで前記圧縮を行い、前記色域超過量補償工程では前記色域超過量を前記色変換後の色信号に加算することで前記補償を行うことを特徴とする。
【００１４】
更に、本発明は、前記色補正方法において、前記変換工程では、前記マトリックス変換により、前記輝度色差系の色信号に対してダイナミックレンジの変換を行うことを特徴とする。
【００１５】
更に、本発明は、前記色補正方法において、前記テーブルには補正前後の差分値が記憶され、前記補間演算工程により補間された前記差分値と、前記補間演算前の前記表示信号系の色信号とを加算する加算工程を更に備えることを特徴とする。
【００１６】
更に、本発明は、前記色補正方法において、前記輝度色差系で表わされた色信号に対して、階調補正により前記色信号の輝度又は色差の階調値を補正する階調補正工程を更に備え、前記変換工程は、前記階調補正工程により補正された前記色信号に対して前記マトリックス変換を行うことを特徴とする。
【００１７】
また、上記目的を達成するために本発明は、輝度色差系で表わされた色信号に対して補正処理を行う色補正装置において、前記輝度色差系で表わされた色信号をマトリックス変換により、表示機器の信号系である表示信号系の色信号に変換する変換部と、前記表示信号系の色信号に対して、前記表示信号系で示されたテーブルを参照して補間演算により色変換を行う補間演算部と、を備えることを特徴とする。
【００１８】
更に、上記目的を達成するために本発明は、輝度色差系で表わされた色信号に対して補正処理を行う色補正プログラムにおいて、前記輝度色差系で表わされた色信号をマトリックス変換により、表示機器の信号系である表示信号系の色信号に変換する変換処理と、前記表示信号系の色信号に対して、前記表示信号系で示されたテーブルを参照して補間演算により色変換を行う補間演算処理とをコンピュータに実行させることを特徴とする。
【発明の効果】
【００１９】
本発明によれは、メモリ容量の増大を防ぐとともに、細かな間隔の色テーブルにより色補正処理を実現できる色補正方法、色補正装置、及び色補正プログラムを提供することができる。
【発明を実施するための最良の形態】
【００２０】
以下、図面を参照して本発明を実施するための最良の形態を説明する。
【００２１】
図１（Ａ）は、色補正装置１の構成例を示す図である。色補正装置１は、マトリックス変換部１０と、ＲＧＢ色調整ＬＵＴ（Look Up Table）２０と、補間演算部３０とを備える。
【００２２】
マトリックス変換部１０は、入力された輝度色差系の画像信号を、表示部の信号系である表示信号系の画像信号に変換する。本実施例では、輝度色差系の画像信号をＹＣＣ（輝度信号（Y）と、２つの色差信号（C））信号）、表示信号系の画像信号をＲＧＢ（Red、Green、Blue）信号とする。夫々、８ビット、２５６階調の信号とする。
【００２３】
尚、マトリックス変換部１０は、実際には３行３列（３×３）の行列式を用いて演算することで、ＲＧＢ信号に変換する。
【００２４】
ＲＧＢ色調整ＬＵＴ２０には、ＲＧＢ信号に対する調整後の階調値が記憶される。このＬＵＴ２０に記憶された階調値の例を図２（Ａ）に示す。同図に示すように、ＲＧＢ色調整ＬＵＴ２０に記憶される値は、色調整後のＲＧＢ（３次元）の各値である。例えば、表示される画像を健康的な肌色に調整したい等の要求に応えられるように各値が記憶される。予め調整したい調整量をＲＧＢ毎に登録すればよい。尚、ＲＧＢ色調整ＬＵＴ２０は、メモリ容量を考慮して離散的な値が記憶される。
【００２５】
補間演算部３０は、ＲＧＢ色調整ＬＵＴ２０から読み出した各調整後の値から補間演算を行う。補間演算後のＲＧＢ信号は、補正後ＲＧＢ信号として、表示部等に出力される。
【００２６】
図１（Ｂ）は、他の色補正装置１の構成例を示す図である。この色補正装置１は、図１（Ａ）の色補正装置１と比較して、マトリックス変換部１１の構成が異なり、更に、超過量補償部４０を備える。ＲＧＢ色調整ＬＵＴ２０と補間演算部３０は、図１（Ａ）の色補正装置１と同一である。
【００２７】
図３（Ａ）は、マトリックス変換部１１の構成例を示す図である。マトリックス変換部１１は、階調補正部１１０と、マトリックス処理部１１１と、クリップ処理部１１２とを備える。
【００２８】
階調補正部１１０は、ＹＣＣ信号に対し補正演算を行う。この補正演算により、鮮やかな色を再現し、明度を多少明るくすることができる。階調補正部１１０での具体的な処理は後述する。
【００２９】
マトリックス処理部１１１は、図１（Ａ）のマトリックス変換部１０と同一の構成で同一の処理を行う。補正後のＹＣＣ信号が入力され、行列演算を行うことで、表示系のＲＧＢ信号に変換する。
【００３０】
クリップ処理部１１２は、変換されたＲＧＢ信号に対して、クリップ処理を行う。クリップ処理とは、階調補正部１１０での補正演算（やマトリックス処理部１１１でのマトリックス変換による演算）により、ＲＧＢ信号の各階調値に対してオーバーフローやアンダーフローが発生した場合に、オーバーフロー分の値やアンダーフロー分の値を減算して、オーバーフロー等を抑えるようにする処理である。このオーバーフロー分等の値は色域超過量として、クリップ処理部１１２から超過量補償部４０に出力される。
【００３１】
図１（Ｂ）に戻り、超過量補償部４０は、補間演算後の色調整済みＲＧＢ信号と、色域超過量とが入力され、色調整済みＲＧＢ信号に色域超過量を加算する処理を行う。超過量補償部４０は、加算後のＲＧＢ信号を色域超過補償済み補正後ＲＧＢ信号として、表示部等に出力する。
【００３２】
図１（Ｂ）に示す色補正装置１では、マトリックス変換部１１（クリップ処理部１１２）により色域超過分を圧縮し、超過量補償部４０によりその色域超過分の補償を行っている。
【００３３】
図３（Ｂ）は、他の色補正装置１の構成例である。図１（Ａ）の色補正装置１と比較して、ＲＧＢ信号に対する色調整用のＬＵＴとして、ＲＧＢ色調整差分ＬＵＴ２１を用い、更に加算部５０を備えている点が異なる。
【００３４】
図２（Ｂ）は、このＲＧＢ色調整差分ＬＵＴ２１に記憶される値の例を示す図である。ＲＧＢ色調整ＬＵＴ２０では、ＲＧＢの各色に対する処理結果そのものが記憶されていたが（同図（Ａ）参照）、ＲＧＢ色調整差分ＬＵＴ２１では、差分値そのものが記憶される。
【００３５】
補間演算部３０では、差分値に対して補間演算を行い、色調整済差分ＲＧＢ信号を出力する。加算部５０は、色調整済ＲＧＢ差分信号と、補間演算前のＲＧＢ信号とを加算する。加算部５０は、加算された補正後ＲＧＢ信号を出力する。
【００３６】
図４は、上述した色補正装置１で実行される処理の動作を示すフローチャートの例である。
【００３７】
処理が開始されると（Ｓ１０）、ＹＣＣ信号に対して階調補正を行う（Ｓ１１）。階調補正部１１０（図３（Ａ）参照）で実行される処理である。図１（Ａ）等で示される色補正装置１では実行されない。
【００３８】
入力されたＹＣＣ信号の例として、ＹＵＶ信号（Ｙ０Ｕ０Ｖ０）としたとき、階調補正部１１０は、以下に示す数式を用いて演算する。
【００３９】
Ｕ１＝１．１＊Ｕ０      ・・・式（１）
Ｖ１＝１．１＊Ｖ０      ・・・式（２）
この式（１）、（２）により、彩度の強調が可能で、色を鮮やかに再現することができる。また、輝度信号Ｙ０に対して、
Ｙ１＝２５５＊（Ｙ０／２５５）０．９      …式（３）
を、演算することで、明度を多少明るくすることができる。
【００４０】
次いで、ＹＣＣ信号（ＹＵＶ信号）を表示系のＲＧＢ信号に変換する（Ｓ１２）。マトリックス変換部１０、１１で行われる処理である。具体的には、
Ｒ１＝１．０００Ｙ１                ＋１．４０２Ｖ１      …式（４）
Ｇ１＝１．０００Ｙ１−０．３４４Ｕ１−０．７１４Ｖ１      …式（５）
Ｂ１＝１．０００Ｙ１＋１．７７２Ｕ１                      …式（６）
を、演算する。輝度色差系のＹＣＣ信号（ＹＵＶ信号）に対して、ダイナミックレンジを変更（引き伸ばし）する場合には、
Ｒ１＝１．１６４（Ｙ１−１６）                ＋１．５９６Ｖ１      …式（７）
Ｇ１＝１．１６４（Ｙ１−１６）−０．３９１Ｕ１−０．８１３Ｖ１      …式（８）
Ｂ１＝１．１６４（Ｙ１−１６）＋２．０１８Ｕ１                      …式（９）
を、演算する。本実施例によるマトリックス変換には、上述の式（４）乃至式（６）のみならず、Ｙ１に対する減算処理（（Ｙ１―１６）の処理）を行う上述の式（７）乃至（９）も含む。
【００４１】
次いで、オーバーフロー分、アンダーフロー分をクリップし（Ｓ１３）、その値を保存する（Ｓ１４）。クリップ処理部１１２で実行される処理である。具体的には、以下の処理を実行する。
ｉｆ  Ｒ１＞２５５  ｔｈｅｎ  Ｒ２＝２５５、ＲＣ＝Ｒ１−２５５
ｅｌｓｅ  ｉｆ  Ｒ１＜０  ｔｈｅｎ  Ｒ２＝０、ＲＣ＝Ｒ１
ｅｌｓｅ  Ｒ２＝Ｒ１、ＲＣ＝０
ｉｆ  Ｇ１＞２５５  ｔｈｅｎ  Ｇ２＝２５５、ＧＣ＝Ｇ１−２５５
ｅｌｓｅ  ｉｆ  Ｇ１＜０  ｔｈｅｎ  Ｇ２＝０、ＧＣ＝Ｇ１
ｅｌｓｅ  Ｇ２＝Ｇ１、ＧＣ＝０
ｉｆ  Ｂ１＞２５５  ｔｈｅｎ  Ｂ２＝２５５、ＢＣ＝Ｂ１−２５５
ｅｌｓｅ  ｉｆ  Ｂ１＜０  ｔｈｅｎ  Ｂ２＝０、ＢＣ＝Ｂ１
ｅｌｓｅ  Ｂ２＝Ｂ１、ＢＣ＝０
この処理により得られるクリップ値（ＲＣ、ＧＣ、ＢＣ）は、色域超過量として出力される。
【００４２】
次いで、３次元ＬＵＴ２０、２１による補間演算（色変換）を行う（Ｓ１５）。補間演算部３０は、ＲＧＢ色調整ＬＵＴ２０（又は、ＲＧＢ色調整差分ＬＵＴ２１）から、ＲＧＢ信号の各階調値に対応する階調値（又は、差分値）を読み出し、補間演算を行う。補間演算は、公知の「３次元補間」や「プリズム補間」、「ピラミッド補間」等の処理を行えばよい。或いは、上述の特許第３６６４３６４号公報に開示された補間演算を用いてもよい。補間演算後のＲＧＢ信号を（Ｒ３、Ｇ３、Ｂ３）とする。
【００４３】
次いで、補正前ＲＧＢ値に色変換結果を加算する（Ｓ１６）。この処理は、加算部５０（図３（Ｂ）参照）で実行される処理である。ＲＧＢ色調整差分ＬＵＴ２１には、差分値が記憶されるため（図２（Ｂ）参照）、補正前のＲＧＢ信号に、補間後の差分値を加算する必要があるからである。
【００４４】
具体的には、以下の演算を実行する。
【００４５】
Ｒ４＝Ｒ２＋Ｒ３      …式（１０）
Ｇ４＝Ｇ２＋Ｇ３      …式（１１）
Ｂ４＝Ｂ２＋Ｂ３      …式（１２）
次いで、クリップ補償、即ち、オーバーフロー値やアンダーフロー値の加算処理を行う（Ｓ１７）。超過量補償部４０（図１（Ｂ）参照）で実行される処理である。具体的には、以下の演算を実行する。
【００４６】
Ｒ５＝Ｒ４＋ＲＣ      …式（１３）
Ｇ５＝Ｇ４＋ＧＣ      …式（１４）
Ｂ５＝Ｂ４＋ＢＣ      …式（１５）
以上により、ＹＵＶ信号（Ｙ０、Ｕ０、Ｖ０）から、色補正された補正後ＲＧＢ信号（（Ｒ３、Ｇ３、Ｂ３）又は、（Ｒ４、Ｇ４、Ｂ４））、又は、色域超過補償済補正後ＲＧＢ信号（Ｒ５、Ｇ５、Ｂ５）を得る。
【００４７】
本実施例では、上述したように、色補正用（色調整用）のＬＵＴ２０、２１に表示系のＲＧＢ信号（調整量）が記憶される。
【００４８】
図５は、輝度色差系のＹＵＶ信号と表示系のＲＧＢ信号の存在範囲の例を示す図である。この図に示すように、一般にＲＧＢ信号の存在範囲は、ＹＵＶ信号の存在範囲より狭い。輝度色差系の信号により色補正用のＬＵＴを構成しても、実際には表示に利用されない値（領域Ａ）があり、従って、輝度色差系で構成されたＬＵＴでは、その利用効率は十分とはいえない。しかし、上述した例で説明したように、本実施例では、色補正用のＬＵＴ２０、２１を表示系のＲＧＢ信号により構成している。従って、本実施例によるＬＵＴ２０、２１の利用効率は約「１００％」といえる。
【００４９】
また、表示に使用されない領域（領域Ａ）の値がＬＵＴ２０、２１には記憶されないため、無駄な格子点の位置にある調整量が記憶されず、従って、メモリ容量の削減を図ることができる。
【００５０】
更に、ＬＵＴ２０、２１には離散的な調整量が記憶される。このとき、輝度色差系のＹＵＶ信号によるＬＵＴと、本実施例によるＬＵＴ２０、２１とでは、同じ数の調整量を記憶しても、色間隔を細かくすることができる。
【００５１】
図５に示すように、ＬＵＴに記憶する値の位置を格子点で示すと、ＹＵＶ信号とＲＧＢ信号とで、同じ数の格子点によるＬＵＴを構成しても、ＲＧＢ信号の範囲の方がＹＵＶ信号の範囲よりも、各格子点の間隔が狭い。よって色間隔を細かくでき、表示系の色の再現を細かく調整できる。
【００５２】
更に、図１（Ｂ）で説明したように、クリップ補償を行っているため、入力されたＹＣＣ信号の階調変化を忠実に表示することができ、表示画像の質感を補償することができる。従って、入力画像に対して、高精度の表示画像を得ることができる。
【００５３】
更に、図２（Ｂ）で説明したように、色補正用のＬＵＴ２１には、差分値の調整量が記憶されるため、処理結果そのものを記憶する場合と比較して、テーブルサイズの削減を図ることができる。色調整する場合に、肌色から青色といった急激に変化させる調整は行われることが少ないため、差分値そのものの取り得る値の範囲も小さい。従って、メモリ容量の増大を防ぐことができる。
【００５４】
上述した例では、輝度色差系の信号として、ＹＣＣ信号やＹＵＶ信号の例で説明した。勿論、Ｌａｂ信号等、他の輝度色差系の信号でも本実施例は実施可能であり、同様の作用効果を奏する。
【００５５】
また、表示系の信号として、ＲＧＢ信号の例で説明したが、表示部に表示される表示系の信号であれば、どのような信号でも本実施例は実施可能で、同様の作用効果を奏する。
【００５６】
更に、上述した例では、ＹＣＣ信号とＲＧＢ信号は８ビット、２５６階調として説明した。勿論、９ビット以上、７ビット以下の階調の信号でも実施可能であり、上述した例と同様の作用効果を奏する。
【００５７】
尚、本色補正装置１は、パーソナルコンピュータやＴＶ、ＶＴＲ（Video Tape Recorder）、ＤＶＤ（Digital Video Disk）装置などの情報機器や、携帯電話やＰＤＡ（Personal Digital Assistance）等の情報携帯端末にも利用可能である。
【００５８】
以上まとめると付記のようになる。
【００５９】
（付記１）
輝度色差系で表わされた色信号に対して補正処理を行う色補正方法において、
前記輝度色差系で表わされた色信号をマトリックス変換により、表示機器の信号系である表示信号系の色信号に変換する変換工程と、
前記表示信号系の色信号に対して、前記表示信号系で示されたテーブルを参照して補間演算により色変換を行う補間演算工程と、
を備えることを特徴とする色補正方法。
【００６０】
（付記２）
前記テーブルには色に対する調整量が記憶されることを特徴とする付記１記載の色補正方法。
【００６１】
（付記３）
更に、前記変換工程による前記マトリックス変換後の前記色信号に対して色域超過量を圧縮する色域圧縮工程と、
前記補間演算工程による前記色変換後の前記色信号に対して前記色域超過量の補償を行う色域超過量補償工程とを備え、
前記補間演算工程は、前記色域圧縮工程により圧縮された前記色信号に対して前記補間演算を行うことを特徴とする付記１記載の色補正方法。
【００６２】
（付記４）
前記色域圧縮工程は前記色域超過量を前記マトリックス変換後の色信号から減算することで前記圧縮を行い、前記色域超過量補償工程では前記色域超過量を前記色変換後の色信号に加算することで前記補償を行うことを特徴とする付記３記載の色補正方法。
【００６３】
（付記５）
前記変換工程では、前記マトリックス変換により、前記輝度色差系の色信号に対してダイナミックレンジの変換を行うことを特徴とする付記１記載の色補正方法。
【００６４】
（付記６）
前記テーブルには補正前後の差分値が記憶され、
更に、前記補間演算工程により補間された前記差分値と前記補間演算前の前記表示信号系の色信号とを加算する加算工程を備えることを特徴とする付記１記載の色補正方法。
【００６５】
（付記７）
更に、前記輝度色差系で表わされた色信号に対して、階調補正により前記色信号の輝度又は色差の階調値を補正する階調補正工程を備え、
前記変換工程は、前記階調補正工程により補正された前記色信号に対して前記マトリックス変換を行うことを特徴とする付記１記載の色補正方法。
【００６６】
（付記８）
輝度色差系で表わされた色信号に対して補正処理を行う色補正装置において、
前記輝度色差系で表わされた色信号をマトリックス変換により、表示機器の信号系である表示信号系の色信号に変換する変換部と、
前記表示信号系の色信号に対して、前記表示信号系で示されたテーブルを参照して補間演算により色変換を行う補間演算部と、
を備えることを特徴とする色補正装置。
【００６７】
（付記９）
輝度色差系で表わされた色信号に対して補正処理を行う色補正プログラムにおいて、
前記輝度色差系で表わされた色信号をマトリックス変換により、表示機器の信号系である表示信号系の色信号に変換する変換処理と、
前記表示信号系の色信号に対して、前記表示信号系で示されたテーブルを参照して補間演算により色変換を行う補間演算処理と、
をコンピュータに実行させることを特徴とする色補正プログラム。
【図面の簡単な説明】
【００６８】
【図１】図１（Ａ）及び同図（Ｂ）共に色補正装置の構成例を示す図である。
【図２】色調整用ＬＵＴに記憶される値の例を示す図である。
【図３】図３（Ａ）はマトリックス変換部の構成例、図３（Ｂ）は色補正装置の構成例を示す図である。
【図４】処理の動作を示すフローチャートの例である。
【図５】ＹＵＶ信号とＲＧＢ信号の存在範囲の例を示す図である。
【符号の説明】
【００６９】
１  色補正装置
１０、１１  マトリックス変換部
２０  ＲＧＢ色調整ＬＵＴ
２１  ＲＧＢ色調整差分ＬＵＴ
３０  補間演算部
４０  超過量補償部
５０  加算部
１１０  階調補正部
１１１  マトリックス処理部
１１２  クリップ処理部
【図１】
0004676364.tif 000002
【図２】
0004676364.tif 000003
【図３】
0004676364.tif 000004
【図４】
0004676364.tif 000005
【図５】
0004676364.tif 000006